(57)【要約】【課題】プラント構成機器の配置状況等の知識を熟知することなく、トラブル発生時の監視対象物の画面部品を入力し、この画面部品に関連する部品項目を容易に検索可能とする画面表示システムを提供する。【解決手段】表示機器３０００に表示の部品画面に関連する部品画面がドラッグされたドラッグ信号を入力する画面表示装置１０００の画面管理部２は、関連項目検索部５によって部品画面に関連する検索部品情報を取得し、検索部品ＩＤを検索キーとして検索対象部品の部品ＩＤ、信号ＩＤから検索結果としての複数の部品ＩＤ、画面ＩＤ、画面位置を表示機器３０００に表示するよう画面表示部４が出力する画面表示システム。【選択図】図３
2020017033.tif 000002
【特許請求の範囲】
【請求項１】
画面表示システムであって、ユーザ入力部と画面表示を行う表示機器と、ネットワークを介してプラント構成機器を監視するデータ処理装置からの機器データを、前記表示機器に表示するための画面表示化を行う画面表示装置とが設けられており、前記画面表示装置に設けられた操作入力部は、前記ユーザ入力部が出力する前記表示機器に表示されている、部品情報を備えた部品画面に関連する部品の検索を行うために、前記部品画面においてドラッグされたドラッグ信号を検知するとともに、画面管理部は前記ドラッグ信号を検索要求信号と判定し、前記画面管理部の出力を入力する情報解析部は、前記表示されている部品画面に関連する検索部品情報を取得して関連項目取得部に出力するとともに、前記関連項目取得部は前記検索部品情報から検索部品のＩＤを取得するものであり、部品関連データ部は前記検索部品のＩＤを検索キーとして該検索部品のＩＤに関連するデータとして複数の部品ＩＤまたは信号ＩＤを取得するとともに、前記データを入力する検索結果生成部は、前記データを整理、統合後に、関連項目に該当する部品ＩＤを部品情報格納領域から取得してまとめを行い、前記まとめた複数の部品ＩＤから検索結果としての複数の部品ＩＤ、画面ＩＤ、画面位置を取得した結果を入力する表示画面生成部は、検索結果画面を生成し、画面表示部は前記検索結果画面を、前記表示機器に表示するよう出力する画面表示システム。
【請求項２】
前記表示機器はタブレット端末とする請求項１に記載の画面表示システム。
【発明の詳細な説明】
【技術分野】
【０００１】
本願は、画面表示システムに関し、特に上水道プラント等の監視制御システムを構成する監視対象機器の画面部品を入力とし、プラント運転技術員が文字を入力することなく監視対象部品に結びついた信号情報、画面情報から、入力部品に関連する項目を導き出す画面表示システムに係るものである。
【背景技術】
【０００２】
従来の画面表示システムとして、ユーザ操作入力部とユーザ操作に対応する画面表示を抽出するモデル検索部とを有し、前記モデル検索部はユーザ操作を解析して検索キーを抽出する検索キー解析部と、前記検索キー内の機能に対応するモデル情報をモデルデータベースから抽出するモデル抽出部と、このモデル抽出部に抽出されたモデル情報の機器ＩＤと、検索キー内の機器に対応する機器ＩＤが一致する機器情報を抽出する実体情報取得部と、モデル抽出部にて抽出されたモデル情報の画面ＩＤと、実体情報取得部にて抽出された機器ＩＤとに対応する画面ＩＤを抽出する検索結果生成部とを備えた技術が開示されている（例えば、特許文献１参照）。
【先行技術文献】
【特許文献】
【０００３】
【特許文献１】特開２０１３−８０７５号公報
【発明の概要】
【発明が解決しようとする課題】
【０００４】
しかしながら、前記特許文献１に示された技術は、監視制御システムを構成する要素を統一的なモデルとして捉え、モデルのキーワード検索により入力モデルに関係した画面一覧を表示し、プラント運転技術員が監視しようとする画面を誘導するものであって、文字入力による検索キーワードで画面一覧を表示するものであり、検索時点において予め検索対象を認識しておく必要がある。つまり、プラント運転技術員が検索対象機器に係る関連知識を有している必要がある。
【０００５】
一方、近年のプラント大型化、高度化に伴い、プラントシステムが複数の標準化された同一機能を有するサブシステムを組み合わせたものを採用することで、プラント運転、監視制御をより容易とする仕組みがなされてきている。つまり、サブシステムを構成する機器およびその付属品等を同一とすることで、プラント建設の合理化、低コスト化を図るとともに、補修、メンテナンス性を向上させている。このようなプラントにおいて運転中にあるサブシステム機器、例えば緊急遮断弁に異常値を示すようなトラブルが発生した場合、監視画面上表示のアラームによって、当該緊急遮断弁への直接的な対応は容易に可能であるが、複数の他のサブシステムの緊急遮断弁の運転状態を画面上で調査しようとする場合、前記先行技術文献に示された技術では高度の熟練技術員による文字入力によって監視画面操作を行う。つまりプラント全体におけるサブシステムの配置状況を認識した上での文字入力による画面操作に依存しなければ、関連機器の迅速な調査を行うことが不可能で、まして未熟練技術員では迅速な調査が行えず、従って類似トラブルの未然発生防止対策等に支障があるという問題点がある。
【０００６】
本願は、上記のような課題を解決するための技術を開示するものであり、プラント構成機器の配置状況、設置数、種類等の知識を熟知する必要がなく、また文字入力を必要とせずに通常運転時またはトラブル発生時の監視対象物の画面部品を入力し、この画面部品に結びついた信号情報、画面情報から、入力部品に関連する項目を検索可能とする画面表示システムを提供するものである。
【課題を解決するための手段】
【０００７】
本願に開示される画面表示システムは、
画面表示システムであって、ユーザ入力部と画面表示を行う表示機器と、ネットワークを介してプラント構成機器を監視するデータ処理装置からの機器データを、前記表示機器に表示するための画面表示化を行う画面表示装置とが設けられており、前記画面表示装置に設けられた操作入力部は、前記ユーザ入力部が出力する前記表示機器に表示されている、部品情報を備えた部品画面に関連する部品の検索を行うために、前記部品画面においてドラッグされたドラッグ信号を検知するとともに、画面管理部は前記ドラッグ信号を検索要求信号と判定し、前記画面管理部の出力を入力する情報解析部は、前記表示されている部品画面に関連する検索部品情報を取得して関連項目取得部に出力するとともに、前記関連項目取得部は前記検索部品情報から検索部品のＩＤを取得するものであり、部品関連データ部は前記検索部品のＩＤを検索キーとして該検索部品のＩＤに関連するデータとして複数の部品ＩＤまたは信号ＩＤを取得するとともに、前記データを入力する検索結果生成部は、前記データを整理、統合後に、関連項目に該当する部品ＩＤを部品情報格納領域から取得してまとめを行い、前記まとめた複数の部品ＩＤから検索結果としての複数の部品ＩＤ、画面ＩＤ、画面位置を取得した結果を入力する表示画面生成部は、検索結果画面を生成し、画面表示部は前記検索結果画面を、前記表示機器に表示するよう出力するものである。
【発明の効果】
【０００８】
本願に開示される画面表示システムは、前記のような構成を採用しているので、プラント構成に関する知識を熟知する必要がなく、また文字入力を必要とせず監視対象物の画面部品を入力して、この入力部品に関連する項目を検索可能な効果を有するものである。
【図面の簡単な説明】
【０００９】
【図１】実施の形態１による画面表示部に表示される上水道処理プラントの系統を示す図である。
【図２】実施の形態１による画面表示システムの構成を示す図である。
【図３】実施の形態１による画面表示装置を示すブロック図である。
【図４】実施の形態１による動作を示すフローチャート図である。
【図５】実施の形態１による画面表示部品の部品情報を示す図である。
【図６】実施の形態１による部品情報から検索部品情報を取得することを示す図である。
【図７】実施の形態１による検索部品情報から関連部品ＩＤまたは信号ＩＤを取得することを示す図である。
【図８】実施の形態１による信号ＩＤから部品ＩＤまたは信号ＩＤを取得することを示す図である。
【図９】実施の形態１による部品ＩＤ、画面位置を取得することを示す図である。
【図１０】実施の形態１による検索結果生成部による検索結果まとめ動作を示す図である。
【図１１】実施の形態１による検索結果表示機器に表示される部品位置データを示す図である。
【発明を実施するための形態】
【００１０】
実施の形態１．
実施の形態１を図に基づいて説明する。図１は後に詳述する画面表示装置１０００に表示された上水道処理プラントの系統を示す図であり、この図例では緊急遮断弁Ａにアラームが発生し、これを認識したプラント運転技術員（以下、ユーザと称す）によりドラッグ（ＤＲＡＧ  ＡＮＤ  ＤＲＯＰの略）され検索ボックスに表示されていることを概念的に示すものであり、図１の左端に示す外部からの送水は、第一配水池、第二配水池より所定の地域へ配水されている。
【００１１】
ここで、図１に示す第一配水池への流入系統に設置されたポンプ４０、流量計４１、ポンプ４０Ａによるサブシステムの各構成機器と、第二配水池への流入系統に設置されたポンプ４０Ｂ、流量計４１Ａ、ポンプ４０Ｃによるサブシステムの各構成機器とは、同一機能、同一型式、同一仕様品であり、また例えばポンプ４０、ポンプ４０Ａ、ポンプ４０Ｂ、ポンプ４０Ｃの図示省略した駆動用モータおよびモータ附属の過電流検出機器等の部品についても同様である。さらに、第一配水池からの流出系統の流量計４１Ｂ、緊急遮断弁Ａと、第二配水池からの流出系統の流量計４１Ｃ、緊急遮断弁Ｂについても同一機能、同一型式、同一仕様品である。尚、以降の説明では、上記構成品（機器本体および付属品を含む）を部品と呼称する。
【００１２】
図２は、前記図１に示した上水道処理プラントに画面表示装置１０００が設けられた画面表示システムの構成を示す図である。図２に示すように、画面表示装置１０００にはユーザが該画面表示装置１０００を操作するためのユーザ入力部２０００と、この入力操作によって画面表示装置１０００で出力された画面を表示する例えばタブレット端末である表示機器３０００とが接続されているとともに、画面表示用のデータを得るためのデータ処理装置５０００がネットワークを介して接続されている。このデータ処理装置５０００は複数の各機器を監視する監視機器５３０と、各監視機器５３０のデータを集約する複数のデータ集約部５２０と、各データ集約部５２０の計測データ５１２を蓄積する計測データ蓄積部５１１とを備えた監視サーバ５１０とが設けられている。このように、画面表示装置１０００はデータ処理装置５０００から画面表示するためのデータをネットワークを介して入力し、前記データを画面表示化する機能を有している。
【００１３】
また、画面表示装置１０００は前記監視画面表示化に加え、ユーザが監視機器５３０に対して操作した際の画面入出力を行うための装置であり、図３のブロック図に示すようにユーザへの入出力操作を受け付ける操作入力部１と、表示中の画面状態を管理するとともに、ユーザ操作を入力して画面情報を管理し、操作に応じて表示画面の変更を行う画面管理部２と、表示用の画面を生成する表示画面生成部３と、前記生成された画面を外部設置の表示機器３０００に表示命令を行う画面表示部４とが設けられている。
【００１４】
さらに、ユーザから入力した画面の部品情報を基にして、その部品に関連する項目を検索するとともに、検索結果に対応した項目の情報を出力する関連項目検索部５が設けられている。この関連項目検索部５には、入力された検索部品情報を解析する検索部品の情報解析部２１と、その解析結果を基に関連する部品、画面などを取得する関連項目取得部２２と、検索結果の画面情報を画面管理部２に出力する検索結果生成部２３とが設けられている。また、部品の関連データを格納する部品関連データ部５１および部品情報を格納する部品情報格納領域５２が設けられている。
【００１５】
次に、動作を図４に示すフローチャートに基づいて説明する。尚、動作をより理解し易くするために、表示機器３０００に表示されている図１に示すような上水道処理プラント系統画面を監視するユーザが、緊急遮断弁Ａにアラームが発生したことを認識し、以下の検索処理を行う例について説明する。尚、ＳＴとはステップの略である。
ＳＴ０．ユーザは、緊急遮断弁Ａにアラーム発生を認識し、この緊急遮断弁Ａ以外に同機能、同型、同仕様の緊急遮断弁および緊急遮断弁Ａに関連する各種部品が設置されているか否かを検索目的とし、図１に示すように緊急遮断弁Ａを選択して検索ボックスにドラッグする。
ＳＴ１．画面表示装置１０００の操作入力部１は、検索ボックスにドラッグされたドラッグ信号を入力として検知するとともに、このドラッグ信号を受信する画面管理部２が検索処理を開始する。
ＳＴ２．画面管理部２はユーザが要求する検索要求を操作入力部１を介して入力し、部品である緊急遮断弁Ａと同機能、同型、同仕様の部品の関連項目検索か否か判定する。ＹＥＳの場合はＳＴ３に、ＮＯの場合はＳＴ１に戻る。尚、図１に示す系統図は画面ＩＤ１００４を有しており、画面上の各部品（機器およびその付属品を含む）は部品情報を有している。この部品情報は部品の属性として設定されている情報で、画面ＩＤ、部品ＩＤ、信号ＩＤ、画面位置、部品名、画面動作条件、画面動作等から構成されている。図５に図１の画面ＩＤ１００４で表示されているいくつかの部品に関する部品情報を例示する。
ＳＴ３．画面管理部２からの信号を入力する関連項目検索部５の情報解析部２１は、前記緊急遮断弁Ａに関する検索部品情報を取得する。その具体例を図６に示す。尚、図６において、検索部品情報の信号ＩＤは０個以上を持ち、また緊急遮断弁Ａの部品情報の部品ＩＤの１、信号ＩＤのＡ、Ｂは、画面上からは見えない。
ＳＴ４．関連項目取得部２２は関連項目一覧取得として以下の動作を行う。
１．情報解析部２１から取得した検索部品情報である検索部品のＩＤ（信号ＩＤまたは部品ＩＤ）から部品ＩＤの方を取得する。
２．取得した上記部品ＩＤを検索キーとして、図７にリストとして示すような検索部品のＩＤと関連する部品ＩＤまたは信号ＩＤデータを取得する。
３．さらに、情報解析部２１から取得した検索部品情報である検索部品のＩＤ（信号ＩＤまたは部品ＩＤ）から、信号ＩＤの方を取得する。
４．取得した上記信号ＩＤを検索キーとして、図８に示すような検索部品の信号ＩＤに関連するデータとして複数の部品ＩＤまたは信号ＩＤを取得する。
ＳＴ５．検索結果生成部２３は、検索結果まとめとして以下の動作を行う。
１．関連項目取得部２２から取得した関連項目（信号ＩＤまたは部品ＩＤ）の重複の有無を確認、すなわち部品１つに対して複数の信号が割り当てられているために複数の部品ＩＤがあり、これを整理、統合する。
２．前記統合した関連項目に該当する部品ＩＤを検索キーとして、図９に示すように部品情報格納領域５２から取得、まとめる。
３．まとめた部品ＩＤから検索結果の部品ＩＤ、画面ＩＤ、画面位置を取得する。
以上の動作をより理解し易くするための説明として、図１０に具体例を示す。図７に示した部品関連データ部５１に示した関連マップから取得した関連項目をまとめ、信号ＩＤを検索キーとして部品ＩＤを検索後、重複を削除してまとめ、図１１に示す検索結果（この実施の形態１では、緊急遮断弁Ａに関連する部品ＩＤで、部品ＩＤ５の部品位置データ）を取得する。
ＳＴ６．画面管理部２は検索結果生成部２３から入力する検索結果を表示画面生成部３に出力し、これを入力する表示画面生成部３は検索結果画面を作成する。
ＳＴ７．表示画面生成部３は、生成した図１１に示すような検索結果を画面表示部４に出力するとともに、画面表示部４は外部の表示機器３０００に前記検索結果を表示するよう出力する。
【００１６】
以上のＳＴ０〜ＳＴ８をもって、アラームが発生した部品と同一機能、同型、同仕様の部品の位置データを検索の上、この画面表示装置１０００が設けられた画面表示システムの表示機器３０００に図１に示す検索結果が表示される。尚、画面表示部４には検索結果を表示する機能を設けてもよい。
【００１７】
このような実施の形態１の画面表示システムは、ユーザが確認したい画面または部品情報を画面上の部品画像に触ること、つまりドラッグすることによって検索可能となるので、確認したい監視項目へ簡単容易に辿りつくことができる。従って、この画面表示システムによると関連項目を予め認識していないユーザ、例えば経験年数の少ないプラントのユーザの場合であってもアラーム発生部品から関連監視項目情報を容易に取得できる。また、文字入力を行う必要がないので、タブレット端末にも適用可能で、キーボード入力が不必要で、ストレスを解消した快適な操作が可能となる。これにより、画面操作性が向上し、監視項目抽出に係る時間を短縮し、トラブル発生時の正確迅速な対応が可能となるという効果がある。
【００１８】
尚、上記実施の形態１では、部品を同一機能、同型、同一仕様品の緊急遮断弁Ａと緊急遮断弁Ｂの例としたが、必ずしもこれに限らず、類似の仕様品であってもよい。また、上水道処理プラントの例で示したが、下水道処理プラント、発電プラント等であってもよい。
【００１９】
本願は、例示的な実施の形態が記載されているが、実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合が含まれるものとする。
【符号の説明】
【００２０】
１  操作入力部、２  画面管理部、３  表示画面生成部、４  画面表示部、
５  関連項目検索部、２１  情報解析部、２２  関連項目取得部、
２３  検索結果生成部、４０，４０Ａ，４０Ｂ，４０Ｃ  ポンプ、
４１，４１Ａ，４１Ｂ，４１Ｃ  流量計、５１  部品関連データ部、
５２  部品情報格納領域、５１０  監視サーバ、５１１  計測データ蓄積部、
５１２  計測データ、５２０  データ集約部、５３０  監視機器、
１０００  画面表示装置、２０００  ユーザ入力部、３０００  表示機器、
５０００  データ処理装置。
【図１】
2020017033.tif 000003
【図２】
2020017033.tif 000004
【図３】
2020017033.tif 000005
【図４】
2020017033.tif 000006
【図５】
2020017033.tif 000007
【図６】
2020017033.tif 000008
【図７】
2020017033.tif 000009
【図８】
2020017033.tif 000010
【図９】
2020017033.tif 000011
【図１０】
2020017033.tif 000012
【図１１】
2020017033.tif 000013